(57)【要約】【課題】  ビットを安定，円滑，確実に保持し、強力な回転トルクに対応出来、熱の伝わりも少なく、ビットが折れてもすぐに対応出来る強力型ロングビットホルダを提供する。【解決手段】  ビット５は長軸の軸体１の両端に挿着可能の構造からなり、ビット５はキャップ３により枢支される。また、軸体１はハンドル２により枢支される。ハンドル２を把持した状態でビット５による強力なネジ廻しが可能となる。なお、このビットホルダは電動ドライバの動力によって高い回転トルクをビットに与えてネジ廻しや穴明けなど行うものである。また、このビットホルダはビットよりも強度がありビットが先に折損する構造からなる。【選択図】  図１
2014100774.tif 000002
【特許請求の範囲】
【請求項１】
強力な回転トルクを必要とする場合に好適なビットホルダであって、該ビットホルダは、ビットを両側に挿着するためのビット挿入穴を形成する長軸の軸体と、ベアリングを介して前記軸体を枢支する長軸のハンドルと、前記軸体の前記ビット挿入穴に挿入される前記ビットに形成されているボール保持用縮径部の外周に当接して配設されるボール及び該ボールを介して前記ビットを枢支するキャップとから構成されることを特徴とする強力型ロングビットホルダ。
【発明の詳細な説明】
【技術分野】
【０００１】
本発明は、ホールソーやギムネ・ソケットビットのような強い回転トルクを必要とするビット類を保持すると共に両側にビット挿入穴を有する長軸な強力型ロングビットホルダに関する。
【背景技術】
【０００２】
作業上長軸の構造が必要であり、強力な回転トルクの伝達に対して安全で円滑に、かつ確実に機能出来る強力型ロングビットホルダが業界において要請されている。しかしながら、従来の公知技術としては前記要請を満足するビットホルダは見当らず、やや似ている構造のものとして「特許文献１」や「特許文献２」が挙げられる。
【先行技術文献】
【特許文献】
【０００３】
【特許文献１】特開２００２−１６６３７３号（図１）
【特許文献２】実開平５−８５５６０号（図１）
【発明の概要】
【発明が解決しようとする課題】
【０００４】
前記の「特許文献１」の「特開２００２−１６６３７３号」の「ビットホルダー」は中間部に過負荷吸収部（６）を設けて使用時における振動や衝撃による過負荷を吸収し商品価値の高くする構造に特徴を有するものであり、本発明のように長軸のものではなく、ベアリングによる枢支手段を有しているがその構造において大きく相違し、かつ両側にビット挿入穴を有するものではない。
【０００５】
また、「特許文献２」の「実開平５−８５５６０号」の「ビットホルダ」は、ビットの嵌脱操作性と耐久性についての向上を図ることを目的とした構造のものからなり、ベアリングを使用しているが全体的構造においても本発明とは大きく異なるものである。
なお、本発明の出願人の調査によるとロングビットについての開示例はなく、かつ円滑の回転や熱の伝達性等について特徴を有するものは見当らない。
【０００６】
本発明は以上の事情に鑑みて創案されたものであり、強い回転トルクに対して十分に耐えられる強力性を有すると共に、安全で円滑に、かつ確実の動作が出来、連続使用においても熱の伝達性が低く、かつ両側にビット挿入穴を形成することによりビットが折損しても交換することで連続して使用を続けることが出来る等の多くの利点を有する強力型ロングビットホルダを提供することを目的とする。
【課題を解決するための手段】
【０００７】
本発明は、以上の目的を達成するために、請求項１の発明は、強力な回転トルクを必要とする場合に好適なビットホルダであって、該ビットホルダは、ビットを両側に挿着するためのビット挿入穴を形成する長軸の軸体と、ベアリング構造を介して前記軸体を枢支する長軸のハンドルと、前記軸体の前記ビット挿入穴に挿入される前記ビットに形成されているボール保持用縮径部の外周に当接して配設されるボール及び該ボールを介して前記ビットを枢支するキャップとから構成されることを特徴とする。
【発明の効果】
【０００８】
本発明の請求項１の強力型ロングビットホルダによれば、全体として長軸のものからなり、長軸を必要とする使用部位において便利に、かつ安全に使用することが出来る。また、ベアリング構造を各所に用いているため円滑の動作が出来ると共に連続使用における熱の伝わり方が少なく耐久性の向上が図れると共に素手でハンドル部として握ることが可能となる。また、両側にビット挿入穴があり、ビットが折れても連続して作業が続行することが出来、作業効率の向上が図れる。また、ベアリングによる枢支構造がコンパクトに、かつ堅牢にまとめられ、強力の回転トルクに対して十分に耐えることが出来る利点を有している。
【図面の簡単な説明】
【０００９】
【図１】本発明の強力型ロングビットホルダの全体構造を示すものであり（ａ）は外観図、（ｂ）は（ａ）のＡ−Ａ線断面図、（ｃ）は軸体とハンドルとの間に設けられているベアリングの構造を示す（ｂ）のＢ−Ｂ線拡大断面図。
【図２】ベアリングによる枢支構造の詳細を示す拡大部分断面図。
【発明を実施するための形態】
【００１０】
以下、本発明の強力型ロングビットホルダの実施の形態を図面を参照して詳述する。
【００１１】
図１（ａ），（ｂ）に示すように、本発明の強力型ロングビットホルダ１００は、長軸の軸体１と、軸体１を枢支する長軸のハンドル２と、軸体１の両側に形成されているビット挿入穴４に挿着されるビット５を枢支するキャップ３等とからなる。
【００１２】
図１及び図２に示すように軸体１は両側の軸端側に小スチールボール６の嵌り込むＶ溝７と大スチールボール８の挿入される貫通孔９とＣ型止輪１０の嵌り込む溝１１やクリセント止輪１２の嵌り込む溝１３等を形成するものからなる。
【００１３】
ハンドル２は図１及び図２に示すようにその両端で軸体１を枢支する形状のパイプ状の部材からなる。詳しくは、両端にベアリングカラ１４を嵌着したものからなり、小スチールボール６を介して軸体１に連結される。なお、ベアリングカラ１４はクリセント止輪１３により軸体１の端部側への移動を拘束されている。以上の構造によりハンドル２は軸体１に左右動を拘束されて枢支される。
【００１４】
キャップ３は大スチールボール８を介してビット挿入穴４に挿入されたビット５を枢支するものであり、Ｃ型止輪１０により移動を拘束されている。なお、前記したようにＣ型止輪１０は溝１１を介して軸体１に嵌り込むものからなり最端側のＣ型止輪１０はスプリング１５を保持するスプリング止輪１６の移動を拘束する状態で軸体１に嵌着されている。
また、大スチールボール８はビット５に形成されているボール保持用縮径部１７の外周に当接する状態で配置されている。以上の構造により、ビット５はキャップ３により大スチールボール８がボール保持用縮径部１７に当接されて抜け止めされる。かつスプリング１５により弾性的に保持される。
【００１５】
本発明の強力型ロングビットホルダ１００は以上の構造からなるため、軸体１に挿入されたビット５は安定的に、かつ円滑に確実に軸体１に保持されると共にハンドル２は軸体１を枢支しているため軸体１はなめらかに回転することが出来、強力の回転トルクに対しても安定的に動作することが出来ると共にハンドル２に熱が伝わりにくい効果を有する。また、ビット５は両端に挿着出来るため、仮りにビット５が折れても連続して対応することが出来、作業効率の低下を防止することが出来る。
【００１６】
本発明の強力型ロングビットホルダ１００は以上の説明の内容からなるが、この内容に限定するものではなく、同一技術的範疇のものが適用されることは勿論である。
【産業上の利用可能性】
【００１７】
本発明の強力型ロングビットホルダ１００はすべての構造のビットに対応することが可能であり、その利用範囲は極めて広い。また、長軸の寸法も適宜選択することが出来、構造の多様性を図ることが出来る。
【符号の説明】
【００１８】
１      軸体
２      ハンドル
３      キャップ
４      ビット挿入穴
５      ビット
６      小スチールボール
７      Ｖ溝
８      大スチールボール
９      貫通孔
１０    Ｃ型止輪
１１    溝
１２    クリセン止輪
１３    溝
１４    ベアリングカラ
１５    スプリング
１６    スプリング止輪
１７    ポール保持用縮径部
１００  強力型ロングビットホルダ
【図１】
2014100774.tif 000003
【図２】
2014100774.tif 000004